(57)【特許請求の範囲】
【請求項１】
雄側コネクタ部材および雌側コネクタ部材を備え、前記両コネクタ部材それぞれの嵌合部の嵌合により前記両コネクタ部材どうしを接続するコネクタ構造において、
前記両コネクタ部材のうちのいずれか一方の前記コネクタ部材の前記嵌合部と反対側のケーブルの導入部分を覆うように配設されるカバー体と、
前記カバー体の端縁に前記嵌合部付近まで延出して形成され当該コネクタ部材の外周面に沿って配設される複数の脚部と、
前記カバー体に形成され当該コネクタ部材から露出した前記ケーブルを包被する包被部と
を備え、
前記複数の脚部の前記嵌合部付近まで延出した先端は、互いに接近する内側方向への弾性力を有し、
前記複数の脚部の先端には係止爪が一体形成されて、前記カバー体を前記一方のコネクタ部材の前記導入部分に覆い被せたときに、前記複数の脚部に形成された前記係止爪が前記嵌合部の端面に係止することを特徴とするコネクタ構造。
【発明の詳細な説明】
【技術分野】
【０００１】
本発明は、雄側コネクタ部材および雌側コネクタ部材を備え、両コネクタ部材それぞれの嵌合部の嵌合により両コネクタ部材どうしを接続するコネクタ構造に関する。
【背景技術】
【０００２】
一般に、電気機器の接続にはコネクタが使用され、車載用の電装機器の接続にも、例えば特許文献１に記載のように、複数のメス端子を収容した雌側コネクタハウジングと、この雌側コネクタハウジングに装着されるカバーとを備えた雌側のコネクタが、機器側に設けられた雄側のコネクタに嵌合されることにより、電装機器の電気的な接続が行われる。
【先行技術文献】
【特許文献】
【０００３】
【特許文献１】特開２００４−１２７８１３号公報（段落００１０および図１参照）
【発明の概要】
【発明が解決しようとする課題】
【０００４】
上記した特許文献１に記載のコネクタ装置は、防水対策が施された特殊な構造を有するが、車載用の電装機器の接続に使用されるコネクタであって、例えばエンジンルーム内の限られた狭いスペースに配設されるヘッドライトレベリングアクチュエータをコネクタにより接続しなければならない場合には、コネクタをより小型にする必要があり、しかもヘッドライトレベリングアクチュエータ後部において両コネクタが嵌合されたときに、ヘッドライトレベリングアクチュエータの後部で嵌合されたコネクタからケーブルが導出されるため、導出された接続ケーブルが折れ曲がった状態で配索されることから、エンジンの点検作業の際などに、ケーブルの折れ曲がり部分に予期しない外力が加わってケーブルの断線等が発生し易くなる。
【０００５】
本発明は、狭いスペースにおいて雄側および雌側の両コネクタ部材が嵌合される場合であっても、ケーブルの断線が発生することを防止できるコネクタ構造を提供することを目的とする。
【課題を解決するための手段】
【０００６】
上記した目的を達成するために、本発明のコネクタ構造は、雄側コネクタ部材および雌側コネクタ部材を備え、前記両コネクタ部材それぞれの嵌合部の嵌合により前記両コネクタ部材どうしを接続するコネクタ構造において、前記両コネクタ部材のうちのいずれか一方の前記コネクタ部材の前記嵌合部と反対側のケーブルの導入部分を覆うように配設されるカバー体と、前記カバー体の端縁に前記嵌合部付近まで延出して形成され当該コネクタ部材の外周面に沿って配設される複数の脚部と、前記カバー体に形成され当該コネクタ部材から露出した前記ケーブルを包被する包被部とを備え、前記複数の脚部の前記嵌合部付近まで延出した先端は、互いに接近する内側方向への弾性力を有し、前記複数の脚部の先端には係止爪が一体形成されて、前記カバー体を前記一方のコネクタ部材の前記導入部分に覆い被せたときに、前記複数の脚部に形成された前記係止爪が前記嵌合部の端面に係止することを特徴としている（請求項１）。
【発明の効果】
【０００７】
請求項１に係る発明によれば、一方のコネクタ部材の嵌合部と反対側の前記ケーブルの導入部分を覆うカバー体の端縁に、嵌合部付近まで延出されてコネクタ部材の外周面に沿って配設される複数の脚部を形成し、コネクタ部材から露出したケーブルを包被部により包被するため、当該コネクタ部材自体にカバー体を固着するためのロック構造を新たに設ける必要もなく、当該コネクタ部材の後部にケーブルを配索する十分なスペースがなくコネクタ部材から露出したケーブルが折れ曲がった状態で配索される場合であっても、ケーブルの露出部分を包被部により包被することでケーブルの露出部分に直接外力が及ぶことを防止でき、簡単かつ低コストの構成によりケーブルの断線の発生を未然に防止することができる。このとき、複数の脚部がコネクタ部材の外周面に沿って配設されるため、例えば粘着テープなどを各脚部の先端部分の周囲に巻回して当該コネクタ部材に各脚部を固定することにより、包被部によりケーブルの露出部分を包被しておくことができる。
【図面の簡単な説明】
【０００８】
【図１】本発明に係るコネクタ構造の一実施形態の分解斜視図である。
【図２】図１の異なる状態における斜視図である。
【発明を実施するための形態】
【０００９】
本発明に係るコネクタ構造の一実施形態について、図１および図２を参照して詳細に説明する。
【００１０】
いま、車両（自動車）のエンジンルーム内で、ヘッドランプにコネクタを接続する場合に、雄側コネクタ部材および雌側コネクタ部材の一方のコネクタ部材を、ヘッドランプレベリングアクチュエータの後部に取り付けられた雄側コネクタ部材および雌側コネクタ部材の他方のコネクタ部材に嵌合する場合を考える。
【００１１】
図１、図２に示すように、雄側コネクタ部材および雌側コネクタ部材の他方のコネクタ部材（図示せず）の嵌合部に嵌合される一方のコネクタ部材１の嵌合部１ａと反対側のケーブル導入部分１ｂを覆う樹脂製のカバー体２が設けられ、コネクタ部材１の外周面に沿って配設される複数（ここでは、３個）の脚部３がカバー体２の端縁に嵌合部１ａ付近まで延出して一体形成され、カバー体２には、コネクタ部材１のケーブル導入部分１ｂから露出したケーブル（図示せず）を包被する例えば断面コ字状の包被部４が一体形成されている。
【００１２】
さらに、各脚部３のうち少なくとも２つの脚部３の先端内側には、コネクタ部材１の嵌合部１ａの端面に係止する係止爪３ａが一体形成され、カバー体２をコネクタ部材１のケーブル導入部分１ｂに覆い被せたときに、各脚部３の係止爪３ａが嵌合部１ａの端面に係止され、この係止状態で各脚部３の先端部分および嵌合部１ａの周囲に粘着テープＴが巻回され、各脚部３が嵌合部１ａに固着されるようになっている。
【００１３】
そして、このように粘着テープの巻回により、各脚部３が嵌合部１ａに固着された状態では、コネクタ部材１のケーブル導入部分１ｂから露出したケーブルは、包被部４の内側に沿って配索され、特にコネクタ部材１のケーブル導入部分１ｂから露出直後ではケーブルはほぼ直角に屈曲されることになるが、屈曲部分も含めケーブル導入部分１ｂから露出したケーブルを包被部４により包被することによって、ケーブルの露出部分に外部から物が接触することがなく、ケーブルの露出部分に対して直接外力が及ぶことはない。
【００１４】
したがって、上記した実施形態によれば、コネクタ部材１の嵌合部１ａと反対側のケーブル導入部分１ｂを覆うカバー体２の端縁に、嵌合部１ａ付近まで延出されてコネクタ部材１の外周面に沿って配設される複数の脚部３を形成し、コネクタ部材１から露出したケーブルを包被部４により包被するようにしたため、コネクタ部材１自体にカバー体を固着するためのロック構造を新たに設ける必要もなく、コネクタ部材１の後部にケーブルを配索する十分なスペースがなくコネクタ部材１から露出したケーブルがほぼ直角に折れ曲がった状態で配索される場合であっても、ケーブルの露出部分を包被部４により包被することでケーブルの露出部分に直接外力が及ぶことを防止でき、簡単かつ低コストの構成によりケーブルに不要な応力がかかることによる断線の発生を未然に防止することができる。
【００１５】
さらに、複数の脚部３がコネクタ部材１の外周面に沿って配設され、脚部３の先端の係止爪３ａをコネクタ部材１の嵌合部１ａの端面に係止するようにしたため、カバー体２がケーブル導入部分１ｂを覆った状態に保持し易くなり、粘着テープＴなどを各脚部３の先端部分の周囲に巻回してコネクタ部材１に各脚部３を固定することによって、包被部４がケーブルの露出部分を包被した状態を維持することができる。
【００１６】
なお、本発明は上記した実施形態に限定されるものではなく、その趣旨を逸脱しない限りにおいて上述したもの以外に種々の変更を行なうことが可能である。例えば、上記した実施形態では、包被部４を断面コ字状とした場合について説明したが、包被部４は断面Ｌ字状であってもよい。
【００１７】
また、上記した実施形態では、粘着テープＴを各脚部３の先端部分に巻回するようにした例について説明したが、各脚部３の先端が互いに接近する内側方向への弾性力を各脚部３に持たせることにより、粘着テープＴを不要にしてコスト削減を図るようにしてもよい。
【００１８】
また、上記した実施形態では、車両のヘッドランプレベリングアクチュエータを接続するコネクタ構造を例示したが、ヘッドランプレベリングアクチュエータに限らずその他の車載用電装機器の接続にも本発明を適用できるのは勿論であり、要するに、コネクタ部材の後側にスペースがない場所において使用される場合に、本発明は好適である。
【符号の説明】
【００１９】
１    …コネクタ部材
１ａ  …嵌合部
１ｂ  …ケーブル導入部分
２    …カバー体
３    …脚部
４    …包被部
【図１】
0006570278.tif 000002
【図２】
0006570278.tif 000003